(57)【要約】【課題】  刃をハンドル内に容易に折り畳むことができ、刃をしっかりと保持することができるとともにその交換が容易であり、使用が簡単で製造と保守に高い費用を必要としない、折り畳み可能な万能ナイフを提供する。【解決手段】  万能ナイフ１は、ハンドル２と、ハンドルに移動可能に取り付けられ、展開状態から折り畳み状態に移動できる刃ホルダ３とを有する。ハンドルは、刃ホルダがその折り畳み状態にあるとき、刃ホルダを収容することができる空間部を有する。刃ホルダは、刃ホルダ機構とフィンガーサポート８０を有する。ハンドルは、さらに、刃収納区画４を有する。【選択図】    図２
2005324026.tif 000002
【特許請求の範囲】
【請求項１】
ハンドルと刃ホルダとを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは、刃を保持するための刃保持手段と、上記刃ホルダに取り付けられたフィンガーサポートとを有することを特徴とする万能ナイフ。
【請求項２】
上記刃ホルダは上縁部を有し、上記フィンガーサポートは、上記上縁部に取り付けられていることを特徴とする請求項１に記載の万能ナイフ。
【請求項３】
上記フィンガーサポートはフィンガーパッドを有することを特徴とする請求項２に記載の万能ナイフ。
【請求項４】
上記フィンガーサポートはプラットフォームを有し、上記フィンガーパッドは、上記プラットフォームに取り付けられていることを特徴とする請求項３に記載の万能ナイフ。
【請求項５】
上記パッドは、上記パッドから上記プラットフォームを介して下方に延在するステムを有し、上記ステムは、上記刃ホルダの上記上縁部に埋め込まれていることを特徴とする請求項４に記載の万能ナイフ。
【請求項６】
上記刃保持手段は、上記刃ホルダの主壁に形成された一対の突起を有し、上記突起は、刃に設けられた対応する溝に入り込むことができるようにしたことを特徴とする請求項５に記載の万能ナイフ。
【請求項７】
上記ハンドルは刃収納区画を有することを特徴とする請求項１に記載の万能ナイフ。
【請求項８】
上記刃収納区画は、一対の対向する内側壁及び外側壁と、底壁と、開放上部とを有することを特徴とする請求項７に記載の万能ナイフ。
【請求項９】
上記刃収納区画にカバーを取り付けて上記開放上部を覆って閉鎖し、上記カバーは、上記開放上部を閉鎖する閉位置から、上記開放上部を開放する開位置に移動可能であることを特徴とする請求項８に記載の万能ナイフ。
【請求項１０】
上記カバーは、上記開放上部内に旋回可能に取り付けられていることを特徴とする請求項９に記載の万能ナイフ。
【請求項１１】
上記カバーは、上記外側壁と嵌合可能な下垂スカート部を有することを特徴とする請求項１０に記載の万能ナイフ。
【請求項１２】
上記カバーにフック手段が設けられたことを特徴とする請求項１１に記載の万能ナイフ。
【請求項１３】
上記外側壁にラッチ手段を設け、上記ラッチ手段は上記フックと協動して、上記カバーを閉位置に保持できるようにしたことを特徴とする請求項１２に記載の万能ナイフ。
【請求項１４】
上記刃収納区画にマグネットを取り付け、上記刃を上記刃収納区画の定位置に保持することを特徴とする請求項１３に記載の万能ナイフ。
【請求項１５】
上記ハンドルは側壁を有し、上記刃収納区画の内側壁は、上記側壁に対して離隔した関係において上記側壁に取り付けられて、上記ハンドル内に上記空間部を形成することを特徴とする請求項７に記載の万能ナイフ。
【請求項１６】
上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有することを特徴とする請求項１５に記載の万能ナイフ。
【請求項１７】
上記刃ホルダは、上記刃ホルダが展開状態にあるとき、上記ロックフィンガーを収容することができる溝を有することを特徴とする請求項１６に記載の万能ナイフ。
【請求項１８】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができることを特徴とする請求項１７に記載の万能ナイフ。
【請求項１９】
上記側壁と、上記内側壁と、上記ハンドルは、これらの上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができることを特徴とする請求項１８に記載の万能ナイフ。
【請求項２０】
上記刃ホルダは、主壁と、上記主壁に取り付けられ、開位置から上記主壁を覆う閉位置に移動可能なガード壁とを有し、上記主壁は、上記ガード壁が閉位置にあるときに、刃が上記主壁と上記ガード壁の間に介在するように上記刃を保持するための手段を有することを特徴とする請求項１に記載の万能ナイフ。
【請求項２１】
上記刃ホルダは、後端部と前端部を有し、上記前端部は、上記ガード壁と上記主壁とからなり、上記後端部は、上記ハンドルに旋回可能に取り付けられ、上縁部と下縁部とを有することを特徴とする請求項２０に記載の万能ナイフ。
【請求項２２】
上記ガード壁は、上記主壁の上記下縁部に隣接したピボット軸を支点として旋回可能に、上記主壁に取り付けられたことを特徴とする請求項２１に記載の万能ナイフ。
【請求項２３】
上記主壁と上記ガード壁とに対して、開位置から上記主壁と上記ガード壁とにかぶさる閉位置に旋回移動する、刃ロックアセンブリを設けたことを特徴とする請求項２２に記載の万能ナイフ。
【請求項２４】
上記刃ロックアセンブリは、上記上縁部に隣接して上記前端部に旋回可能に取り付けられたことを特徴とする請求項２３に記載の万能ナイフ。
【請求項２５】
上記刃ロックアセンブリは、上壁と一対の側壁とを有するＵ字形クリップからなり、上記クリップがその閉位置にあるとき上記側壁は上記主壁と上記ガード壁とをはさむように構成されたことを特徴とする請求項２４に記載の万能ナイフ。
【請求項２６】
上記後端部は、そこから延在するフィンガータブを有することを特徴とする請求項２５に記載の万能ナイフ。
【請求項２７】
ハンドルと刃ホルダとを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは、刃を保持するための刃保持手段を有し、上記ハンドルは、刃収納区画を有することを特徴とする万能ナイフ。
【請求項２８】
上記刃収納区画は、一対の対向する内側壁及び外側壁と、底壁と、開放上部とを有することを特徴とする請求項２７に記載の万能ナイフ。
【請求項２９】
上記刃収納区画にカバーを取り付けて上記開放上部を覆って閉鎖し、上記カバーは、上記開放上部を閉鎖する閉位置から、上記開放上部を開放する開位置に移動可能であることを特徴とする請求項２８に記載の万能ナイフ。
【請求項３０】
上記カバーは、上記開放上部内に旋回可能に取り付けられていることを特徴とする請求項２９に記載の万能ナイフ。
【請求項３１】
上記カバーは、上記外側壁と嵌合可能な下垂スカート部を有することを特徴とする請求項３０に記載の万能ナイフ。
【請求項３２】
上記カバーにフック手段が設けられたことを特徴とする請求項３１に記載の万能ナイフ。
【請求項３３】
上記外側壁にラッチ手段を設け、上記ラッチ手段は上記フックと協動して上記カバーを閉位置に保持できるようにしたことを特徴とする請求項３２に記載の万能ナイフ。
【請求項３４】
上記刃収納区画にマグネットを取り付け、上記刃を上記刃収納区画の定位置に保持することを特徴とする請求項３３に記載の万能ナイフ。
【請求項３５】
上記ハンドルは、側壁を有し、上記刃収納区画の内側壁は、上記側壁に対して離隔した関係において上記側壁に取り付けられて、上記ハンドル内に上記空間部を形成することを特徴とする請求項２７に記載の万能ナイフ。
【請求項３６】
上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有することを特徴とする請求項３５に記載の万能ナイフ。
【請求項３７】
上記刃ホルダは、上記刃ホルダが展開状態にあるとき、上記ロックフィンガーを収容することができる溝を有することを特徴とする請求項３６に記載の万能ナイフ。
【請求項３８】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができることを特徴とする請求項３７に記載の万能ナイフ。
【請求項３９】
上記側壁と、上記内側壁と、上記ハンドルは、これらの上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができることを特徴とする請求項３８に記載の万能ナイフ。
【請求項４０】
上記刃ホルダは、主壁と、上記主壁に取り付けられ、開位置から上記主壁を覆う閉位置に移動可能なガード壁とを有し、上記主壁は、上記ガード壁が閉位置にあるときに、刃が上記主壁と上記ガード壁との間に介在するように上記刃を保持するための手段を有することを特徴とする請求項２７に記載の万能ナイフ。
【請求項４１】
上記刃ホルダは、後端部と前端部とを有し、上記前端部は、上記ガード壁と上記主壁とからなり、上記後端部は、上記ハンドルに旋回可能に取り付けられ、上縁部と下縁部とを有することを特徴とする請求項４０に記載の万能ナイフ。
【請求項４２】
上記ガード壁は、上記主壁の上記下縁部に隣接したピボット軸を支点として旋回可能に、上記主壁に取り付けられたことを特徴とする請求項４１に記載の万能ナイフ。
【請求項４３】
上記主壁と上記ガード壁とに対して、開位置から上記主壁と上記ガード壁とにかぶさる閉位置に旋回移動する、刃ロックアセンブリを設けたことを特徴とする請求項４２に記載の万能ナイフ。
【請求項４４】
上記刃ロックアセンブリは、上記上縁部に隣接して上記前端部に旋回可能に取り付けられたことを特徴とする請求項４３に記載の万能ナイフ。
【請求項４５】
上記刃ロックアセンブリは、上壁と一対の側壁を有するＵ字形クリップからなり、上記クリップがその閉位置にあるとき上記側壁は上記主壁と上記ガード壁とをはさむように構成されたことを特徴とする請求項４４に記載の万能ナイフ。
【請求項４６】
上記後端部は、そこから延在するフィンガータブを有することを特徴とする請求項４５に記載の万能ナイフ。
【請求項４７】
上記刃ホルダは、上記刃ホルダの主壁に形成された一対の突起を有し、上記突起は、刃に設けられた対応する溝に入り込むことができるようにしたことを特徴とする請求項４６に記載の万能ナイフ。
【発明の詳細な説明】
【技術分野】
【０００１】
本発明は、万能ナイフに関し、特に、ナイフを使用しないときに、刃をハンドル内に折り畳むことができる折り畳み可能な万能ナイフに関する。
【背景技術】
【０００２】
万能ナイフは、長年にわたり用いられてきた。このような万能ナイフのうちには、ナイフを使用しないときに、ハンドル内に折り畳み可能な刃ホルダに取り付けられた刃を有するものがある。しかしながら、このような万能ナイフのうちには、多数の可動部品を有するものがあり、このことは、ナイフを使用しにくくし、かつ、製造にかかる費用を高くする。このような万能ナイフのうちには、刃の交換が複雑な作業であり、特別な工具の使用を必要とするものもある。さらに、既存の万能ナイフのうちには、ナイフを使用するときに指を支えるための手段を持っていないものや、予備の刃を収納するための適切な手段を持っていないものがある。
【発明の開示】
【発明が解決しようとする課題】
【０００３】
本発明の目的は、上記の問題を解決し、刃ホルダをハンドルの中に容易に折り畳むことができる改良された万能ナイフを提供することである。
【０００４】
本発明の別の目的は、刃が刃ホルダにしっかりと保持された、改良された万能ナイフを提供することである。
【０００５】
本発明の別の目的は、刃ホルダの刃を交換するための改良された手段が設けられた、改良された万能ナイフを提供することである。
【０００６】
本発明の別の目的は、予備の刃を収納するための手段を有する、改良された万能ナイフを提供することである。
【０００７】
本発明の別の目的は、フィンガーサポート手段を有する、改良された万能ナイフを提供することである。
【０００８】
本発明の別の目的は、使用が簡単で、製造と維持の費用が高くない、改良された万能ナイフを提供することである。
【課題を解決するための手段】
【０００９】
本発明の一態様によれば、ハンドルと刃ホルダとを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは、刃を保持するための刃保持手段と、上記刃ホルダに取り付けられたフィンガーサポートとを有することを特徴とする万能ナイフが得られる。
【００１０】
上記刃ホルダは上縁部を有し、上記フィンガーサポートは、上記上縁部に取り付けられていてもよい。
【００１１】
上記フィンガーサポートはフィンガーパッドを有してもよい。
【００１２】
上記フィンガーサポートはプラットフォームを有し、上記フィンガーパッドは、上記プラットフォームに取り付けられていてもよい。
【００１３】
上記パッドは、上記パッドから上記プラットフォームを介して下方に延在するステムを有し、上記ステムは、上記刃ホルダの上記上縁部に埋め込まれていてもよい。
【００１４】
上記刃保持手段は、上記刃ホルダの主壁に形成された一対の突起を有し、上記突起は、刃に設けられた対応する溝に入り込むことができるようにしてもよい。
【００１５】
上記ハンドルは刃収納区画を有してもよい。
【００１６】
上記刃収納区画は、一対の対向する内側壁及び外側壁と、底壁と、開放上部とを有してもよいすることを特徴とする請求項７に記載の万能ナイフ。
【００１７】
上記刃収納区画にカバーを取り付けて上記開放上部を覆って閉鎖し、上記カバーは、上記開放上部を閉鎖する閉位置から、上記開放上部を開放する開位置に移動可能であるようにしてもよい。
【００１８】
上記カバーは、上記開放上部内に旋回可能に取り付けられていてもよい。
【００１９】
上記カバーは、上記外側壁と嵌合可能な下垂スカート部を有してもよい。
【００２０】
上記カバーにフック手段が設けられてもよい。
【００２１】
上記外側壁にラッチ手段を設け、上記ラッチ手段は上記フックと協動して、上記カバーを閉位置に保持できるようにしてもよい。
【００２２】
上記刃収納区画にマグネットを取り付け、上記刃を上記刃収納区画の定位置に保持してもよい。
【００２３】
上記ハンドルは側壁を有し、上記刃収納区画の内側壁は、上記側壁に対して離隔した関係において上記側壁に取り付けられて、上記ハンドル内に上記空間部を形成してもよい。
【００２４】
上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有してもよい。
【００２５】
上記刃ホルダは、上記刃ホルダが展開状態にあるとき、上記ロックフィンガーを収容することができる溝を有してもよい。
【００２６】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができるようにしてもよい。
【００２７】
上記側壁と、上記内側壁と、上記ハンドルは、これらの上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができるようにしてもよい。
【００２８】
上記刃ホルダは、主壁と、上記主壁に取り付けられ、開位置から上記主壁を覆う閉位置に移動可能なガード壁とを有し、上記主壁は、上記ガード壁が閉位置にあるときに、刃が上記主壁と上記ガード壁の間に介在するように上記刃を保持するための手段を有してもよい。
【００２９】
上記刃ホルダは、後端部と前端部を有し、上記前端部は、上記ガード壁と上記主壁とからなり、上記後端部は、上記ハンドルに旋回可能に取り付けられ、上縁部と下縁部とを有してもよい。
【００３０】
上記ガード壁は、上記主壁の上記下縁部に隣接したピボット軸を支点として旋回可能に、上記主壁に取り付けられてもよい。
【００３１】
上記主壁と上記ガード壁とに対して、開位置から上記主壁と上記ガード壁とにかぶさる閉位置に旋回移動する、刃ロックアセンブリを設けてもよい。
【００３２】
上記刃ロックアセンブリは、上記上縁部に隣接して上記前端部に旋回可能に取り付けられてもよい。
【００３３】
上記刃ロックアセンブリは、上壁と一対の側壁とを有するＵ字形クリップからなり、上記クリップがその閉位置にあるとき上記側壁は上記主壁と上記ガード壁とをはさむように構成されてもよい。
【００３４】
上記後端部は、そこから延在するフィンガータブを有してもよい。
【００３５】
本発明の他の態様によれば、ハンドルと刃ホルダとを有する万能ナイフにおいて、上記刃ホルダは、上記ハンドルに旋回可能に取り付けられて展開状態から折り畳み状態に移動することができ、上記ハンドルは、上記刃ホルダがその折り畳み状態にあるとき、上記刃ホルダの少なくとも一部を収容することができる空間部を有し、上記刃ホルダは、刃を保持するための刃保持手段を有し、上記ハンドルは、刃収納区画を有することを特徴とする万能ナイフが得られる。
【００３６】
上記刃収納区画は、一対の対向する内側壁及び外側壁と、底壁と、開放上部とを有してもよい。
【００３７】
上記刃収納区画にカバーを取り付けて上記開放上部を覆って閉鎖し、上記カバーは、上記開放上部を閉鎖する閉位置から、上記開放上部を開放する開位置に移動可能であってもよい。
【００３８】
上記カバーは、上記開放上部内に旋回可能に取り付けられていてもよい。
【００３９】
上記カバーは、上記外側壁と嵌合可能な下垂スカート部を有してもよい。
【００４０】
上記カバーにフック手段が設けられてもよい。
【００４１】
上記外側壁にラッチ手段を設け、上記ラッチ手段は上記フックと協動して上記カバーを閉位置に保持できるようにしてもよい。
【００４２】
上記刃収納区画にマグネットを取り付け、上記刃を上記刃収納区画の定位置に保持してもよい。
【００４３】
上記ハンドルは、側壁を有し、上記刃収納区画の内側壁は、上記側壁に対して離隔した関係において上記側壁に取り付けられて、上記ハンドル内に上記空間部を形成するようにしてもよい。
【００４４】
上記ハンドルは、上記ハンドル内の上記空間部に取り付けられた旋回ロックレバーアセンブリを有し、上記ロックレバーアセンブリは、前方アームと、後方アームと、上記前方アームから延在するロックフィンガーとを有してもよい。
【００４５】
上記刃ホルダは、上記刃ホルダが展開状態にあるとき、上記ロックフィンガーを収容することができる溝を有してもよい。
【００４６】
上記ロックレバーアセンブリの上記後方アームの下側にバネ手段を設けて上記後方アームを上方に付勢し上記前方アームを下方に付勢することにより、上記ロックフィンガーを上記溝に入り込ませ、上記バネ手段の張力に抗して上記後方アームを押し下げることにより上記前方アームを上昇させ、上記ロックフィンガーを上記溝から出し、上記刃ホルダを上記ハンドルに対して展開状態から折り畳み状態に旋回させて上記ハンドル内の上記空間部に収容することができるようにしてもよい。
【００４７】
上記側壁と、上記内側壁と、上記ハンドルは、これらの上縁部にノッチを有し、上記後方アームは上記ノッチの上に突出し、上記ノッチにおいて上記後方アームを押し下げることにより、上記前端部を上方に上昇させて、上記ロックフィンガーを上記ロック溝から抜き出すことができるようにしてもよい。
【００４８】
上記刃ホルダは、主壁と、上記主壁に取り付けられ、開位置から上記主壁を覆う閉位置に移動可能なガード壁とを有し、上記主壁は、上記ガード壁が閉位置にあるときに、刃が上記主壁と上記ガード壁との間に介在するように上記刃を保持するための手段を有してもよい。
【００４９】
上記刃ホルダは、後端部と前端部とを有し、上記前端部は、上記ガード壁と上記主壁とからなり、上記後端部は、上記ハンドルに旋回可能に取り付けられ、上縁部と下縁部とを有してもよい。
【００５０】
上記ガード壁は、上記主壁の上記下縁部に隣接したピボット軸を支点として旋回可能に、上記主壁に取り付けられてもよい。
【００５１】
上記主壁と上記ガード壁とに対して、開位置から上記主壁と上記ガード壁とにかぶさる閉位置に旋回移動する、刃ロックアセンブリを設けてもよい。
【００５２】
上記刃ロックアセンブリは、上記上縁部に隣接して上記前端部に旋回可能に取り付けられてもよい。
【００５３】
上記刃ロックアセンブリは、上壁と一対の側壁を有するＵ字形クリップからなり、上記クリップがその閉位置にあるとき上記側壁は上記主壁と上記ガード壁とをはさむように構成されてもよい。
【００５４】
上記後端部は、そこから延在するフィンガータブを有してもよい。
【００５５】
上記刃ホルダは、上記刃ホルダの主壁に形成された一対の突起を有し、上記突起は、刃に設けられた対応する溝に入り込むことができるようにしてもよい。
【発明の効果】
【００５６】
本発明によれば、刃ホルダをハンドル内に容易に折り畳むことができ、万能ナイフに刃を固定するための改良された手段ならびにナイフの刃を交換するための改良された手段を備え、指載せ部を提供し、さらに、刃収納区画を有し、使用が簡単で製造と保持に高い費用のかからない、万能ナイフを提供することができる。
【発明を実施するための最良の形態】
【００５７】
以下、本発明の好ましい実施例について、図面を参照して説明する。
【００５８】
図面を参照すると、本発明の万能ナイフ１は、ハンドルアセンブリ２と刃ホルダ３とを有する。
【００５９】
ハンドルアセンブリ２は、上縁部７と下縁部９を有する側壁２を有する。内側壁１５を有するＵ字形刃収納区画４が設けられ、スペーサ５を間に介在させて側壁２に取り付けられている。スペーサ５は、側壁２と刃収納区画４の内側壁１５との間に空間部６(図４)を形成している。スペーサ５と側壁２と刃収納区画４は、留め具１０により一緒に保持され、この留め具１０は、スペーサ５と側壁２と刃収納区画４を通って延在することによりこれらを一緒に保持する。側壁２の上縁部７は、フィンガーノッチ８を有する。側壁２の下縁部９は、ユーザが握りやすいように、波状に形成してもよい。所望に応じ、クリップ１１を側壁２の外側に取り付けて、万能ナイフ１をユーザのベルトやその他の便利な場所などに固定することができるようにしてもよい。
【００６０】
刃収納区画４はＵ字形で、離隔した一対の内側壁１５と外側壁１６と、内側壁１５と外側壁１６とを一体に連結した底壁１７と、開放上部１８とを有する。内側壁１５の上縁部７Ａは、側壁２の上縁部７と同様の形状に作られ、上縁部７と一致している。この上縁部７Ａにはノッチ８Ａが設けられ、ノッチ８Ａは、位置と、大きさと、形状において、側壁２のノッチ８と一致することが好ましい。刃収納区画４の底壁１７は、側壁２の波状の下縁部９と同様に且つ一致するように、波状に形成され、ユーザが万能ナイフを握りやすくしている。外側壁１６は上縁部７Ｂを有し、この上縁部７Ｂには、下向きに湾曲した切欠きが設けられて、凹状縁部１９を形成している。
【００６１】
刃収納区画４の開放上部１８は、後部２１を有するカバーアセンブリ２０によって閉鎖できるようになっており、このカバーアセンブリ２０は、内側壁１５と外側壁１６の間に介在し、ピボットアセンブリ２２により内側壁１５と外側壁１６に旋回可能に取り付けられている。カバーアセンブリ２０は、上面７Ｃとノッチ８Ｂを有し、これら上面７Ｃとノッチ８Ｂは、それぞれ、位置と、形状と、大きさにおいて、側壁２と内側壁１５における上縁部７および７Ａと、ノッチ８および８Ａと一致している。スカート部２５が上面７Ｃから下垂し、その湾曲凸状下縁部２６が外側壁１６の凹状縁部１９と一致して嵌合することにより、刃収納区画４を閉鎖する。分岐アーム３１と３２を有するスプリング３０が、刃収納区画４内において、内側壁１５と外側壁１６の間に且つピボットアセンブリ２２のまわりに、上記アーム３１と３２が外側方向に付勢した状態で取り付けられ、したがって、スプリング３０は、通常状態では、カバーアセンブリ２０を持ち上げて刃収納区画４を開放している。
【００６２】
スカート部２５の内表面には、留め具３４によりフック３３が取り付けられている。外側壁１６の内表面には、スプリング被押圧ラッチ３５が取り付けられ、このラッチ３５は、通常状態では、スプリング３６により、外側壁１６の後方に向かって付勢されている。カバーアセンブリ２０がその閉位置にあるとき、ラッチ３５はフック３３に入り込み、カバーをその閉位置に保つ（図９）。ラッチ３５がスプリング３６に抗して移動すると、ラッチ３５はフック３３から外れて、カバーアセンブリ２０がスプリング３０の作用を受けて跳ね上がり、刃収納区画４を開放する。刃収納区画４を閉じるためには、カバーアセンブリ２０をスプリング３０の付勢力に抗して押し下げていくと、フック３３がラッチ３５の下にカチッと嵌まり、ラッチ３５がフック３３に入り込むことにより、刃収納区画４のカバーアセンブリ２０が閉位置に保持される。
【００６３】
複数の刃Ｂを刃収納区画４内に収納してもよく、この場合には、古い刃Ｂを新しい刃Ｂに交換したい場合に、各刃を取り出すことができる。これらの刃Ｂが刃収納区画４内で動いてガタつかないようにするためには、刃収納区画４の底壁１７にマグネット３７（図８）を取り付け、これにより磁気的にこれらの刃Ｂを吸引し刃収納区画４内にしっかりと保持する。
【００６４】
側壁２と刃収納区画４の内側壁１５の間に形成された空間部６に取り付けられて、且つ、上縁部７および７Ｂに沿って、ロックレバーアセンブリ４０が設けられ、このロックレバーアセンブリ４０は、側壁２と内側壁１５の間で、ピボットピン４１を支点として旋回可能に取り付けられている。このピボットピン４１は側壁２と、内側壁１５と、ロックレバーアセンブリ４０を通って延在する。ロックレバーアセンブリ４０は、好ましくは、前方アーム４２と後方アーム４３とをそれぞれ有する２アームレバーである。前方アーム４２は、下方に延在するロックフィンガー４４を備える。ロックレバーアセンブリ４０の後方アーム４３の下には、リーフスプリング４５が設けられ、このリーフスプリング４５は、スペーサ５に取り付けられて、通常状態では、後方アーム４３の下縁部に押し当てられ、ピボットピン４１を支点として後方アーム４３を上方に、前方アーム４２を下方に付勢しており、したがって、後方アーム４３は、側壁２、内側壁１５、及び上縁部７Ｃにおけるノッチ８、ノッチ８Ａ、及びノッチ８Ｂの上に突出している。ロックレバーアセンブリ４０の後方アーム４３をスプリング４５の作用に抗してノッチ８、ノッチ８Ａ、及びノッチ８Ｂにおいて手指で押し下げると、前方アーム４２がロックフィンガー４４と一緒に上昇する。
【００６５】
本発明による刃ホルダ３は、好ましくは、互いに一体に形成された後端部５１と前端部５２を有する。刃ホルダ３は、後縁部５１Ａと、下縁部５１Ｂと、上縁部５１Ｃとを有する。刃ホルダ３は、側壁２と内側壁１５の間の空間部６内に、ピボットピンアセンブリ２２を支点として旋回可能に取り付けられている。上縁部５１Ｃは溝５３を有し、刃ホルダ３がその延在状態すなわち展開状態にある時に、ロックアセンブリ４０の下方に延在するロックフィンガー４４がこの溝５３に入り込むようにされている。
【００６６】
刃ホルダ３の前端部５２は、薄い主壁５４と、主壁５４上にピボットピン５６を支点として旋回可能に取り付けられた薄いガード壁５５とからなる。主壁５４は刃Ｂを保持することができ、刃Ｂは、下部切断縁部５７と、その上縁部５９に設けられた離隔したノッチ５８とを有する。主壁５４は、主壁５４から延在する離隔した一対の突起６０を有し、この突起６０に刃Ｂの上部ノッチ５８を嵌め込んで、刃Ｂを主壁５４の定位置に保持することができるようになっている。ガード壁５５が上昇閉位置にあるとき、ガード壁５５は刃Ｂを覆って刃Ｂを定位置に保持し、ガード壁５５が下方開位置にあるとき、刃Ｂを露出させる。
【００６７】
刃ロックアセンブリ６５が、刃ホルダ３の上縁部５１Ｃに沿って取り付けられ、刃ホルダ３の前端部５２に、ピボットピン６６により旋回可能に取り付けられている。刃ロックアセンブリ６５はＵ字クリップ形状であり、分割すなわち分断された上壁６８と、上壁６８にぶら下がる一対の側壁６９と、側壁６９から外側に延在する側面フィンガータブ７０とを有する。刃ロックアセンブリすなわちクリップ６５をピボットピン６６を支点として下方に旋回させると、その側壁６９が刃ホルダ３の主壁５４とガード壁５５を挟み、上壁６８が主壁５４およびガード壁５５ならび刃Ｂの上にかぶさり、刃Ｂが定位置にロックされる。内側に延在する突部７１を側壁６９に設け、主壁５４およびガード壁５５に摺接的に係合することによりロックアセンブリ６５を定位置に保持してもよい。刃Ｂを取り外して交換したい場合、クリップ６５を上記フィンガータブ７０により上方に旋回させて、主壁５４およびガード壁５５と刃Ｂを解放する。これにより、主壁５４に対してガード壁５５を刃Ｂから離れる方向に旋回させる（図１３に示すように）ことが可能となるため、刃Ｂを露出させ、刃Ｂを取り外して交換することが可能となる。
【００６８】
フィンガーサポートアセンブリ８０(図５)が、刃ホルダ３の上縁部５１に取り付けられている。このフィンガーサポートアセンブリ８０は、プラットフォーム８２内に取り付けられた、好ましくは円形の軟質フィンガーパッド８１からなり、刃ホルダ３の後端部５１の上縁部５１Ｃ内に取り付けられた、下方に延在するステム８３を有する。このフィンガーサポートアセンブリ８０によれば、ユーザは、怪我をする虞なしに、指で刃ホルダ３を押さえつけることができる。
【００６９】
操作に際しては、万能ナイフ１を、刃ホルダ３を折り畳まない展開操作状態にして、使用準備状態にする。刃Ｂは、刃Ｂの上縁部５９のノッチ５８まで延在する突起６０により、刃ホルダ３の主壁５４に保持されている。ロックレバーアセンブリ４０の前方アーム４２に形成されたロックフィンガー４４は、後方アーム４３に作用するスプリング４５の圧力のために、下方位置にあり、刃ホルダ３に設けた溝５３内に位置づけられ、刃ホルダ３をその展開状態に保っている。ロックレバーアセンブリ４０の後方アーム４３はその上昇位置にあり、ハンドル２の上縁部７のフィンガーノッチ８上に突出している。
【００７０】
万能ナイフ１を折り畳んだ操作不能状態にしたい場合、ロックレバーアセンブリ４０の後方アーム４３をスプリング４５の付勢力に抗してノッチ８と、ノッチ８Ａと、ノッチ８Ｂにおいて手指で押し下げる。これにより、ロックアセンブリ４０の前方アーム４２を上昇させて、溝５３からロックフィンガー４４を抜き出して刃ホルダ３を解放し、刃ホルダ３をピボットピン２２を支点として下方に旋回させる（図１１）。所望に応じ、これは、フィンガーサポートアセンブリ８０を押し下げることによって行ってもよい。次いで、刃ホルダ３を下方に完全に旋回させ、側壁２と内側壁１５の間の空間部６内に移動させる（図１２）。ロックレバーアセンブリ４０の後方アーム４３に対する圧力が解除されると、スプリング４５は、後方アーム４３を移動させて元の上昇位置に戻す。これにより、ロックフィンガー４４を刃ホルダ３の後縁部５１Ａと下縁部５１Ｂに押し当て（図１２）、刃ホルダ３をその折り畳み状態に保持することを支援する。
【００７１】
刃Ｂを使用したい場合には、逆の手順をたどる。（所望に応じ、再び、フィンガーサポートアセンブリ８０を用いて）、刃ホルダ３を反対方向に旋回させる。好ましくは、ロックレバーアセンブリ４０の後方アーム４３をノッチ８と、ノッチ８Ａと、ノッチ８Ｂにおいて再び手指で押し下げることで、刃ホルダ３の展開を支援する。刃ホルダ３を反時計方向に引き続き回転させると（図１１に示すように）、前方アーム４２のロックフィンガー４４が刃ホルダ３の後端部５１に設けた溝５３に入り込み、刃ホルダ３をその延長状態に保つ。
【００７２】
刃Ｂを交換したい場合、刃ホルダ３をその展開状態にして（図１３に示すように）、フィンガータブ７０によりピボットピン６６を支点としてクリップ６５を持ち上げる。これにより、ガード壁５５が解放され、ピボットピン５６を支点として主壁５４に対して下方にガード壁５５を旋回させ、刃Ｂを露出させる。そこで、刃Ｂを刃ホルダ３から取り出すことができ、ここに新しい刃Ｂを取り付けることができる。再び、ガード壁５５を上方に旋回させて刃Ｂを覆う位置に戻し、クリップ６５を下降させることにより刃Ｂと主壁５４およびガード壁５５を定位置にロックする。新しい刃Ｂは、刃収納区画４に収納された刃Ｂの中から取得することができる。この刃収納区画４は、ラッチ３５をフック３３から離れる方向に移動させて刃収納区画４のカバーをスプリング３０の張力により跳ね上げることにより、開放される。そこで、刃Ｂを刃収納区画４から取り出し、上記のように刃ホルダ３に取り付けることができる。次いで、刃収納区画４は、カバー２０をスプリング３０の付勢力に抗して下方に移動させ、スプリング被押圧ラッチ３５がフック３３に入り込み、カバーアセンブリ２０を閉位置に保持することにより、閉じることができる。
【００７３】
なお、本発明は上記の実施例に限定されるものではなく、請求項の範囲を逸脱することなく種々の変形が可能であることは、当業者であれば明らかであろう。
【図面の簡単な説明】
【００７４】
【図１】本発明の実施例による万能ナイフの分解斜視図である。
【図２】本発明の実施例による万能ナイフの斜視図である。
【図３】図２に示す万能ナイフの上面図である。
【図４】図２の線４−４に沿った断面図である。
【図５】図３の線５−５に沿った断面図である。
【図６】本発明の実施例による万能ナイフの閉位置における刃収納区画を示す側面図である。
【図７】開位置における刃収納区画を示す、図６と同様な側面図である。
【図８】図３の線８−８に沿った断面図である。
【図９】ロック時のカバー閉位置における収納用仕切部カバー解放機構を示す、図８と同様な拡大部分断面図である。
【図１０】ロック解除時のカバー開位置における収納用仕切部カバー解放機構を示す、図９と同様な拡大部分断面図である。
【図１１】部分的に折り畳んだ状態における万能ナイフを示す、図３の線１１−１１に沿った断面図である。
【図１２】完全に折り畳んだ状態における万能ナイフを示す、図１１と同様な断面図である。
【図１３】刃を取り外して交換する方法を示す、万能ナイフの側面図である。
【図１４】万能ナイフの反対側の側面図である。
【符号の説明】
【００７５】
１  万能ナイフ
２  ハンドルアセンブリ
２、６９  側壁
３  刃ホルダ
４  刃収納区画
５  スペーサ
６  空間部
７、７Ａ、７Ｂ、７Ｃ、５９  上縁部
７Ｃ  上面
８、８Ａ、８Ｂ、５８  ノッチ
９  下縁部
１０、３４  留め具
１１  クリップ
３０、３６  スプリング
１５  内側壁
１６  外側壁
１７  底壁
１８  開放上部
１９  凹状縁部
２０  カバーアセンブリ
２１  後部
２２  ピボットアセンブリ
２５  スカート部
２６  凸状下縁部
４１、５６、６６  ピボットピン
３１、３２  分岐アーム
３３  フック
３５  ラッチ
３７  マグネット
４０  ロックレバーアセンブリ
４２  前方アーム
４３  後方アーム
４４  ロックフィンガー
４５  リーフスプリング
５１  後端部
５１Ａ  後縁部
５１Ｂ  下縁部
５１Ｃ  上縁部
５２  前端部
５３  溝
５４  主壁
５５  ガード壁
５７  下部切断縁部
６０  突起
６５  刃ロックアセンブリ
６８  上壁
７０  フィンガータブ
７１  突部
８０  フィンガーサポートアセンブリ
８１  フィンガーパッド
８２  プラットフォーム
８３  ステム
Ｂ  刃
【図１】
2005324026.tif 000003
【図２】
2005324026.tif 000004
【図３】
2005324026.tif 000005
【図４】
2005324026.tif 000006
【図５】
2005324026.tif 000007
【図６】
2005324026.tif 000008
【図７】
2005324026.tif 000009
【図８】
2005324026.tif 000010
【図９】
2005324026.tif 000011
【図１０】
2005324026.tif 000012
【図１１】
2005324026.tif 000013
【図１２】
2005324026.tif 000014
【図１３】
2005324026.tif 000015
【図１４】
2005324026.tif 000016